(57)【要約】【課題】外部から飛来する電波が、実際に影響を受ける周波数か否かを検波し、光ディスク装置の状態に応じた対処を可能とする光ディスク装置を提供する。【解決手段】ドライブ動作中に外部電波を検波回路にて検出後、比較回路にて所定の閾値レベル以上の電波を検出した場合、ドライブが記録型メディアに対して再生あるいは記録中ならばレーザを一時的にOFFし、ドライブがROMディスクの再生中ならば、光PUHのレーザ出力を上げてS／N比を改善する。【選択図】図２
2007018598.tif 000002
【特許請求の範囲】
【請求項１】
可搬情報記録媒体を支持し回転制御する駆動機構、光ピックアップ、光ピックアップを駆動制御する駆動機構および電子回路を搭載したメカシャーシが装着されたドロアと、
前記ドロアが装着された開口部が装置本体に形成され、この開口部の近傍に配設されるアンテナと、
このアンテナにより外部で発生する電波を受けて、検出する検出部と、
この検出部での検出結果に応じて、前記可搬情報記録媒体の記録または再生を制御する制御部を備えたことを特徴とする光ディスク装置。
【請求項２】
前記検出部での検出結果は、少なくとも誤動作の虞のある周波数帯の電波か否かの判定で行われることを特徴とする請求項１記載の光ディスク装置。
【請求項３】
前記情報記録媒体が記録型メディアであるとき、前記制御の内容は、レーザの発振を一時的に停止することを特徴とする請求項１又は２記載の光ディスク装置。
【請求項４】
前記情報記録媒体が再生型メディアであるとき、前記制御の内容は、レーザの発振出力を一時的に上昇させ、Ｓ／Ｎ比を改善することを特徴とする請求項１又は２記載の光ディスク装置。
【請求項５】
前記アンテナは、ロッドアンテナ又はヘリカルホイップアンテナであることを特徴とする請求項１記載の光ディスク装置。
【請求項６】
前記アンテナは、前記ドロアの前面にあるベゼルの内側あるいは外側に配置、あるいはベゼルに埋設されることを特徴とする請求項１記載の光ディスク装置。
【請求項７】
所定の外部電波を検出の際、操作者にその旨を了知させる覚知手段を備えたことを特徴とする請求項１記載の光ディスク装置。
【発明の詳細な説明】
【技術分野】
【０００１】
本発明は、光ディスク装置に関し、光ディスクの再生あるいは記録時において、外部で発生する電波によって影響を受けた場合に、その電波を検出し対処することができるようにした光ディスク装置に関する。
【背景技術】
【０００２】
電気機器は、何の対策も施さなければ、近くにある他の機器の放射電磁波などの影響で、機能低下や誤作動、停止、記録の消失などの影響を受けることがある。特に無線機器から放射される電磁波が、他の電子機器等に共振等の影響を与える場合がある。このような無線周波妨害やイミュニティの対策については、種々の研究がなされている。
【０００３】
例えば、可搬記憶媒体を装着した状態で使用される電子機器において、可搬記憶媒体の挿入面の金属板等を、その装置の外部で発生する携帯電話等の電波と共振しない形状や構造とした電子装置が提案されている（例えば、特許文献１参照。）。
【０００４】
すなわち、携帯電話の電波(λ)に対し、λの1／2又はその整数倍とならないような構造とするため、可搬記憶媒体の挿入面の大きさが10cmとすると、外部からの電波の周波数fを1.5GHzとするとその波長は、
λ=光速(3×108)／携帯電話の周波数(1.5×109)=0.2m(20cm)
となる。よってこのままでは挿入面が携帯電話の周波数の1／2λとなってしまうため、1／2又はその整数倍とならないようにしたものである。
【特許文献１】特開２００１−６７８５１号公報
【発明の開示】
【発明が解決しようとする課題】
【０００５】
上述した従来技術においては、例えば、外部から飛来する電波の周波数を１．５ＧＨｚと仮定し、可搬記憶媒体を使用する装置あるいは画像形成装置の前面開口、すなわち、可搬記憶媒体の挿入面の形状を、外部から飛来する電波および内部電波による共振点をずらすように決定している。
【０００６】
ところが、筐体を共振しない構造にしても現実には開口部から直接飛び込んでくる電波が存在する場合、あるいは筐体そのものから内部の電子回路にグランドを通じて進入し影響を与えてしまう場合がある。現在存在する携帯電話の周波数帯域に対し、1／2λ、1／4λ、…の関係にならないようにしても、今後携帯電話は更なる高周波帯域での使用が予想されるため開口部から電波が進入しやすくなることが予想される。また実際には携帯電話で使用されている電波は800MHz,1,5GHz丁度ではなく、付近の周波数帯域で使用され、また様々な変調が加えられる為、共振させない構造を実現するのは非常に困難である。
【０００７】
本発明は、外部から飛来する電波が、実際に影響を受ける周波数か否かを検波し、光ディスク装置の状態に応じた対処を可能とする光ディスク装置を提供することを目的としている。
【課題を解決するための手段】
【０００８】
本発明の一態様によれば、可搬情報記録媒体を支持し回転制御する駆動機構、光ピックアップ、光ピックアップを駆動制御する駆動機構および電子回路を搭載したメカシャーシが装着されたドロアと、前記ドロアが装着された開口部が装置本体に形成され、この開口部の近傍に配設されるアンテナと、このアンテナにより外部で発生する電波を受けて、検出する検出部と、この検出部での検出結果に応じて、前記可搬情報記録媒体の記録または再生を制御する制御部を備えたことを特徴とする光ディスク装置が提供される。
【０００９】
前記情報記録媒体が記録型メディアであるとき、前記制御の内容は、レーザの発振を一時的に停止することが好適である。
【００１０】
また、前記情報記録媒体が再生型メディアであるとき、前記制御の内容は、レーザの発振出力を一時的に上昇させ、Ｓ／Ｎ比を改善することが好適である。
【発明の効果】
【００１１】
本発明によれば、外部から飛来する電波が、実際に影響を受ける周波数か否かを検波し、光ディスク装置の状態に応じた対処を可能とする光ディスク装置が得られる。
【発明を実施するための最良の形態】
【００１２】
以下、本発明の実施の形態について、図面を参照しながら説明する。尚、各図において同一箇所については同一の符号を付すとともに、重複した説明は省略する。
【００１３】
図１は本発明の実施形態に係る光ディスク装置の概略構成を示すブロック図である。図１に示すように、光ディスク装置１００は、可搬情報記録媒体である光ディスク１０にレーザ光を照射する光ピックアップヘッド（光ＰＵＨ）１１と、ＣＰＵ１２、光ディスクに記録する情報をEFM変調するエンコーダ１３、光ディスクへの記録を制御する制御信号を出力する記録制御回路１４、光ＰＵＨ１１を駆動するレーザ駆動回路１５、光ＰＵＨ１１の位置を設定するサーボ回路１６、β検出回路１７、RF信号を増幅するRFアンプ１８、検波回路部１９から構成されている。
【００１４】
エンコーダ１３は光ディスク１０に記録する情報をEFM変調して出力する。EFM変調は、変換表を利用して、８ビットのデータを１４ビットのデータに変換し、1のデータが連続するパターンを、0を含むパターンに変換して記録するものである。
【００１５】
次にエンコーダ１３からのEFM信号及びCPU１２からの制御信号は、記録制御回路１４に入力される。記録制御回路１４は、サーボ回路１６及びレーザ駆動回路１５に駆動制御信号を出力する。サーボ回路１６は光ＰＵＨ１１の位置を適正な位置に設定する。レーザ駆動回路１５は駆動制御信号に基づいて光ＰＵＨ１１のレーザダイオードに通電し、レーザダイオードから光ディスク１０に対してレーザ光を照射する。光ディスク１０からの反射光は光ＰＵＨ１１で受光され、反射光に対応したRF信号がRFアンプ１８に入力され、増幅してβ検出回路１７に出力される。β検出回路１７は入力したRF信号のピーク値、つまりトップA及びボトムBの値を測定し、（１）式によって算出した値をCPU１２に出力する。
【００１６】
β＝（Ａ＋Ｂ）／（Ａ−Ｂ）・・・（１）式
CPU１２はこのβ値に基づき、β=最適値となるレーザパワーを求め、補正を指示する制御信号を記録制御回路１４及びレーザ駆動回路１５に出力する。最適値として求められたレーザパワーによって情報の記録を光ディスク１０に行なう。
【００１７】
光ディスク装置１００が動作中に外部から電波が飛び込んできた場合、再生中では信号にノイズが入り再生できなくなってしまう。またレーザ駆動回路１５に影響を及ぼした場合、記録型ディスクに対して再生中の場合には記録パワーが出力されデータを破壊する恐れがあり、記録中では正常に記録が行えなくなってしまう。このような最悪の事態を避ける為、実際に光ディスク装置の電子回路（ドライブ)に飛び込み悪影響をする電波の周波数を検出し、再生型ディスク（ROM）の再生中ではレーザパワーを上げてS／N比を改善、記録型ディスクの再生／記録中ではレーザの出力をOFFし誤動作を防ぐ。
【００１８】
次に、検波回路部１９について説明する。図２は、検波回路部１９の構成を示すブロック図である。検波回路部１９は、アンテナ２０、検波回路２１、比較回路２２、制御回路２３から構成することができる。検波回路部１９のアンテナ２０をレーザ駆動回路１５に影響を及ぼす電波の周波数とマッチングし、検波する。次に比較回路２２にて、対処すべき電圧レベルを閾値とし、出力を制御回路２３としてデジタルインバータにより2値化しCPU１２へ2値化信号を送り、CPU１２にてレーザ駆動回路１５を制御する。
【００１９】
以下に、図３に示す動作フローチャートに従い、動作の流れを説明する。
【００２０】
まず、ドライブ動作中に外部電波を検波回路にて検出する（ステップＳ１)。
【００２１】
次に、比較回路にて所定の閾値レベル以上の電波を検出する（ステップＳ２)。この閾値は、ドライブの誤動作を招くレベルに設定する。
【００２２】
次に、比較回路の出力をデジタルインバータで2値化し（ステップＳ３)、2値化信号をレーザ駆動回路へ出力する（ステップＳ４)。
【００２３】
このときドライブと記録メディアの関係を判別する（ステップＳ５)。
【００２４】
ドライブが記録型メディアに対して再生あるいは記録中ならばレーザを一時的にOFFし、外部電波を検出したことにより、動作停止状態であることをＰＣ画面上に表示する（ステップＳ６)。ＰＣ画面上への表示と同時に、例えばステータスLEDを電波検出時用のタイミングで点滅させることでユーザへ通知するようにしてもよい。
【００２５】
一方、ドライブがROMディスクの再生中ならば、光PUHのレーザ出力を上げてS／N比を改善する。併せて外部電波が検出されている旨をPC画面上に表示する（ステップＳ７)。
【００２６】
次に、一定時間経過したかチェックする（ステップＳ８)。一定時間経過しても電波を検出している場合、再度電波が検出されている旨をPC画面上へ表示し、記録中であればホールド状態を継続するか中止するかの判断をユーザーに仰ぐ（ステップＳ９)。尚、中止する場合は当該ディスクが使用不可となることを警告するのがユーザフレンドリーな対応であり好適である。ホールドを選択した場合、再び一定時間経過するまで、状態をホールドし、中止を選択した場合は記録動作を中止する（ステップＳ１０)。電波が検出されなくなったら記録を再開（ステップＳ１１)あるいは出力を戻す（ステップＳ１２)。
【００２７】
次に、図４乃至図６に基づきアンテナの設置について説明する。図４は、光ディスク装置本体１００からドロワ１０１を引き出した状態を示す図である。また、図５は開口部Ａを示している。光ディスク装置１００の本体筐体１０５に形成した開口部Ａには、可搬情報記録媒体である光ディスクを支持し回転制御する駆動機構、光ピックアップ、光ピックアップを駆動制御する駆動機構および電子回路を搭載したメカシャーシが装着されたドロア１０１が出入自在に設けられている。
【００２８】
そして、現存する携帯電話の電波や今後使用が予測される更なる高周波帯域に対して、開口部Ａが形成された本体筐体１０５を共振させないように、開口部Ａの長手方向の大きさを設定することが困難であり、飛来する外部からの電波が開口部Ａからドロア１０１内部に入りやすく、ドロア１０１の電子回路に悪影響を及ぼしやすい。
【００２９】
図６はベゼル１０２とアンテナの設置例を説明するものである。検波回路部１９に設けられるアンテナ２０は、光ディスク装置１００の電子回路が外部からの電波から悪影響を受けやすい部分であって、かつその外部からの電波を検出しやすい部分に配設するのが望ましく、光ディスク装置１００の本体に形成した開口部Ａの近傍に設置する。開口部Ａの近傍として、例えば、ドロア１０１の前面に設けられたベゼル１０２の内側面あるいは外側面へ設置する（Ｂ）、ベゼル１０２内部へアンテナを埋め込む（Ｃ）、光ディスク装置１００の開口部Ａ内部に配置されたステータス表示用LED１０４のフレキシブル配線をアンテナとする（Ｄ）、イジェクトボタン１０３の配線をアンテナとする（Ｅ）、静電気引き込み用金具をアンテナとする等が挙げられる。ベゼル１０２は樹脂製であり、ベゼル１０２を透して外部からの電波を検出できるので、上記各例のように開口部Ａの内部近傍にアンテナを設置しても電波の検知には何ら障害はない。また、光ディスク装置１００の開口部Ａの近傍として、開口部Ａの外周部である本体筐体１０５にアンテナを設置してもよく、この場合、本体筐体１０５が樹脂製であれば、本体筐体１０５の内外面いずれにも設置できる。さらに、光ディスク装置１００本体をパソコン等の外付け機器としてケースに収納して使用する場合には、その外付け用のケースの開口部の近傍にアンテナを設置するようにしてもよい。
【００３０】
アンテナ２０の形状は、例えばロッドアンテナ、ヘリカルホイップアンテナ等、携帯電話の電波を検出しやすい形状のものが好適である。
【００３１】
また、外部電波を検出した場合、例えばステータス表示用LED１０４を点滅させることにより、光ディスク装置１００の操作者に了知させ、上述したようなその後の操作を促すことができる。
【００３２】
検波回路部の応用例として、外部からの電波により無線操作を可能とする。例えば、メンテナンス用の特殊動作コマンドやファームウエアの一部変更などを行うための特殊コマンドを予め用意し、パソコン、レコーダーおよびリモコンなどのホスト側から特殊コマンドに対応する無線信号を出力する。この無線信号をアンテナを利用して受信することにより、特殊コマンドに対応する動作を行うようにする。また、ホスト側から受信した無線信号をデータとして扱うことにより、ファームウエアの差分追加などを行うことができる。
【００３３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３４】
【図１】本発明の実施形態に係る光ディスク装置の概略構成を示すブロック図である。
【図２】検波回路部の構成を示すブロック図である。
【図３】本発明の実施形態に係る光ディスク装置の動作フローチャートである。
【図４】光ディスク装置本体からドロワを引き出した状態を示す図である。
【図５】開口部Ａを示す図である。
【図６】ベゼルとアンテナの設置例を説明するための図である。
【符号の説明】
【００３５】
１００・・・光ディスク装置、１０・・・光ディスク、１１・・・光ピックアップヘッド（光ＰＵＨ）、１２・・・ＣＰＵ、１３・・・エンコーダ、１４・・・記録制御回路、１５・・・レーザ駆動回路、１６・・・サーボ回路、１７・・・β検出回路、１８・・・RFアンプ、１９・・・検波回路部、２０・・・アンテナ、２１・・・検波回路、２２・・・比較回路、２３・・・制御回路、１０１・・・ドロア、１０２・・・ベゼル、１０３・・・イジェクトボタン、１０４・・・ステータス表示用LED、１０５・・・本体筐体、Ａ・・・開口部。
【図１】
2007018598.tif 000003
【図２】
2007018598.tif 000004
【図３】
2007018598.tif 000005
【図４】
2007018598.tif 000006
【図５】
2007018598.tif 000007
【図６】
2007018598.tif 000008